(57)【要約】【課題】出力されているシーンを構成する映像及び音声要素の詳細なデータを簡単な操作で得られるようにする。【解決手段】映像及び音声信号源９１からのテレビジョン信号と、データ信号源９３からのテレビジョン信号の各シーンを構成する映像要素及び音楽要素に対応するデータをＭＰＥＧエンコーダ９２でＭＰＥＧ符号化し、変調して送信する。受信側では、チューナ／復調部１２で受信し復調して、ＴＳ信号を得、デマルチプレクサ１３で、映像データ、音声データと各シーンに対応するデータを分離抽出し、映像データ及び音声データは映像処理部１４で復号し、シーン対応データはメモリ２２の記憶する。制御部１８から各シーンに対応するインデックス信号を生成して表示合成部１５で映像信号に多重して表示部１６で表示し、インデックスを選択することで各シーンに対応するデータをメモリから読み出して表示部１６で表示する。【選択図】　　　図２
2004120474.tif 000002
【特許請求の範囲】
【請求項１】
画面表示されるシーンを構成する複数の要素に対応するデータをテレビジョン信号に多重して送信する手段と、
前記テレビジョン信号を受信する手段と、
前記受信されたテレビジョン信号からデータを分離抽出する手段と、
抽出されたデータをインデックスに対応付けてメモリに記憶する手段と、
前記インデックスを前記要素が表示される画面に重畳して表示する手段と、
前記画面表示されたインデックスを選択することで、前記各要素に対応するデータを前記メモリから読み出して画面表示する手段と、
を具備したことを特徴とするデータ放送送受信システム。
【請求項２】
画面表示されるシーンを構成する複数の要素に対応するデータをテレビジョン信号に多重して送信するが多重されたテレビジョン信号を受信する手段と、
前記受信されたテレビジョン信号からデータを分離抽出する手段と、
抽出されたデータをインデックスに対応付けてメモリに記憶する手段と、
前記インデックスを前記要素が表示される画面に重畳して表示する手段と、
前記画面表示されたインデックスを選択することで、前記各要素に対応するデータを前記メモリから読み出して画面表示する手段と、
を具備したことを特徴とするデータ放送受信装置。
【請求項３】
前記インデックスは、複数の異なる色で特定されるように表示されるものであることを特徴とする請求項２記載のデータ放送受信装置。
【請求項４】
前記インデックスを選択する手段は、前記複数の異なる色に対応した色が付されたキーを有するリモコンハンドユニットを備えることを特徴とするデータ放送受信装置。
【請求項５】
さらに、前記選択されたインデックスに対応するデータを記憶する記憶手段を備えることを特徴とする請求項２乃至４のいずれかに記載のデータ放送受信装置。
【請求項６】
さらに、前記データは、前記シーンに使われる音楽に関するものを含み、前記インデックスの少なくとも一つが、当該音楽に対応するものであることを特徴とする請求項２乃至５のいずれかに記載のデータ放送受信装置。
【請求項７】
画面表示されるシーンを構成する複数の要素に対応するデータが多重されたテレビジョン信号を受信するステップと、
前記受信されたテレビジョン信号からデータを分離抽出するステップと、
抽出されたデータをインデックスに対応付けてメモリに記憶するステップと、前記インデックスを前記要素が表示される画面に重畳して表示するステップと、
前記画面表示されたインデックスを選択することで、前記各要素に対応するデータを前記メモリから読み出して画面表示するステップと、
を具備したことを特徴とするデータ放送受信方法。
【発明の詳細な説明】
【０００１】
【発明の属する技術分野】
本発明は、データ放送受信システム、データ放送受信装置及びデータ放送受信方法に関し、特に放送番組の映像シーンを構成する複数の要素に対応するデータをテレビジョン信号に多重して伝送し、このテレビジョン信号を受信して、番組を視聴しながら、各要素が出力されている状態で、各要素を選択して、それに対応するデータを表示するようにしたデータ受信装置及び受信方法に関する。
【０００２】
【従来の技術】
デジタルテレビジョン放送においては、番組を構成する映像信号及び音声信号の他に付加データとして番組に関連する情報が多重伝送される。付加データとしては、例えばドラマであるならば、一般的には、出演者、監督スタッフ、ドラマの内容、放送時間等で構成され、視聴者は例えばリモコンハンドユニットを操作して、ドラマを視聴しながらそれらの情報を画面表示させることができる。
【０００３】
視聴者としては、上記のような番組に関する情報の他に、例えばそのドラマのロケ地、ロケした建物、店、ドラマの中で出演者が着ている衣装のブランド、ショップ、バックに流れている音楽の題名、収録されているＣＤ（Ｃｏｍｐａｃｔ　Ｄｉｓｋ）のタイトル及び価格、ドラマの中で出演者が食事している店、食べている料理名、料金等の情報を視聴者が取得できれば便利である。
【０００４】
また、旅行番組等においても、出演者の他に、場所、交通アクセス、宿、料金、周辺情報等の情報を画面を見ながら取得できればこれも便利である。
さらに、それらの情報を画面表示させるだけでなく一旦記憶させておいて後から出力できるようにすればさらに使い勝手が向上する。
画面表示された内容に関連する情報を取得する場合、同じシーンで複数の事項が表示される場合もあり、表示された内容の全ての情報を取得するように構成しても必ずしも使い勝手は良好とはいえない。例えば、同じシーンで、出演者が２人登場している場合、出演者を選択して情報を取得できるようにした方がよいし、料理を食べているシーンでは、店の情報と、料理の情報を選択取得できるようにした方がよい。
【０００５】
しかしながら、従来、以上のような機能を満足する装置の存在はなかった。
例えば、特開２００１−１４５０４２号には、データ放送で受信した受信データからカテゴリ別情報を抽出し、そのカテゴリ別情報のカテゴリが、要求カテゴリリストに設定されている場合に、そのカテゴリ別情報を選択して表示するようにしたデータ放送受信装置が開示されているが、予め要求カテゴリリストを設定する必要があり、使い勝手がよいとはいえない。
【０００６】
以上のように、従来、映像信号に多重されている付加データを画面表示されたシーンに関連して取得したいという要望があるが、それを実現した装置が提案されていなかった。
【特許文献１】
特開２００１−１４５０４２号（第３頁〜第４頁、第２図、第３図、第４図、第５図）
【０００７】
【発明が解決しようとする課題】
従来、映像信号に多重されて伝送される付加データを、画面表示されたシーンを見ながら、都度取得したいという要望があるがそれを満足する装置は提供されていなかった。
本発明は、以上の点に対処してなされたものであり、画面表示されたシーンに関連するデータを簡単に取得することができるようにしたデータ放送受信システム、データ放送受信装置及びデータ放送受信方法を提供することを目的とする。
【０００８】
【課題を解決するための手段】
本発明のデータ放送送受信システムは、画面表示されるシーンを構成する複数の要素に対応するデータをテレビジョン信号に多重して送信する手段と、前記テレビジョン信号を受信する手段と、前記受信されたテレビジョン信号からデータを分離抽出する手段と、抽出されたデータをインデックスに対応付けてメモリに記憶する手段と、前記インデックスを前記要素が表示される画面に重畳して表示する手段と、前記画面表示されたインデックスを選択することで、前記各要素に対応するデータを前記メモリから読み出して画面表示する手段と、を具備したことを特徴とする。
【０００９】
本発明によれば、本発明によれば、シーンを構成する要素に対応するインデックスを画面表示し、それを選択することでデータを表示させることができるものであるため、データを取得したいときに、簡単に、データを取得することができるものである。
【００１０】
本発明のデータ放送受信装置は、画面表示されるシーンを構成する複数の要素に対応するデータが多重されたテレビジョン信号を受信する手段と、前記受信されたテレビジョン信号からデータを分離抽出する手段と、抽出されたデータをインデックスに対応付けてメモリに記憶する手段と、前記インデックスを前記要素が表示される画面に重畳して表示する手段と、前記画面表示されたインデックスを選択することで、前記各要素に対応するデータを前記メモリから読み出して画面表示する手段と、　を具備したことを特徴とする。
【００１１】
本発明によれば、シーンを構成する要素に対応するインデックスを画面表示し、それを選択することでデータを表示させることができるものであるため、データを取得したいときに、簡単に、データを取得することができるものである。
本発明のデータ放送受信方法は、画面表示されるシーンを構成する複数の要素に対応するデータが多重されたテレビジョン信号を受信するステップと、前記受信されたテレビジョン信号からデータを分離抽出するステップと、抽出されたデータをインデックスに対応付けてメモリに記憶するステップと、前記インデックスを前記要素が表示される画面に重畳して表示するステップと、前記画面表示されたインデックスを選択することで、前記各要素に対応するデータを前記メモリから読み出して画面表示するステップと、を具備したことを特徴とする。
【００１２】
本発明においても、シーンを構成する要素に対応するインデックスを画面表示し、それを選択することでデータを表示させることができるものであるため、データを取得したいときに、簡単に、データを取得することができるものである。
【００１３】
【発明の実施の形態】
以下、図面を参照しながら本発明の実施の形態を詳細に説明する。
図１は、本発明のデータ放送受信装置１０の一実施の形態を示すブロック図である。
入力端子１１は、アンテナからの放送信号が供給される端子であり、供給された放送信号は、チューナ／復調部１２に供給されて、選局と復調及び誤り訂正が施されて、ＴＳ（Ｔｒａｎｓｐｏｒｔ　Ｓｔｒｅａｍ）信号としてデマルチプレクサ１３に供給される。
【００１４】
デマルチプレクサ１３で、番組を構成する映像データ、音声データと、その番組に関連する付加データが分離される。デマルチプレクサ１３で分離された映像データは映像処理部１４に供給されて、ＭＰＥＧ（Ｍｏｖｉｎｇ　Ｐｉｃｔｕｒｅ　Ｅｘｐａｒｔｓ　Ｇｒｏｕｐ）の復号が行なわれ、復号された映像信号は、表示合成部１５に供給されて、ここで、表、キャラクタ等が適宜合成される。表示合成部１５から映像信号が陰極線管等で構成される表示部１６に供給されて表示される。
【００１５】
チューナ／復調部１２、デマルチプレクサ１３、映像処理部１４、表示合成部１５は、バス１７に接続され、制御部１８によって制御される。バス１７には、さらにリモコン信号処理部１９が接続され、リモコンハンドユニット２０から送られるリモコン信号を処理して制御部１８を介して各ブロックを制御することができる。
【００１６】
さらに、メモリ２１とデータ抽出部２２がバス１７に接続され、データ抽出部２１がバス１７に接続され、デマルチプレクサ１３で分離される付加データのうち、所定のデータを分離して、バス１７を介してメモリ２１に記憶させる。
メモリ２１に記憶されたデータは、制御部１８の制御の下、読み出されてバス１７を介して表示合成部１５に供給されて、映像処理部１４からの映像信号に重畳され、表示部１６で表示される。
このデータは例えばＰＳＩ（Ｐｒｏｇｒａｍ　Ｓｐｅｃｉｆｉｃａｔｉｏｎ　Ｉｎｆｏｒｍａｔｉｏｎ）に含まれるＳＩ（Ｓｅｒｖｉｃｅ　Ｉｎｆｏｒｍａｔｉｏｎ）等の映像信号の内容を特定する情報でなる。この情報に対応して映像信号に重畳されるキャラクタが、各データを特定するインデックスの役目を持つ。すなわち、リモコンハンドユニット２０のキーによって、選択可能なインデックスが画面表示され、リモコンキーによる選択操作によって、そのインデックスで特定される情報の内容が詳細に表示される。
【００１７】
表示部１６に表示される映像の例を図２に示す。画面の最も下のラインに、青：俳優Ａ、赤：音楽、緑：俳優Ｂ、黄：店、とインデックスが表示され、画面には、二人の人物が食事している状態が映出され、さらに画面右上隅にその店名が表示されている。
【００１８】
リモコンハンドユニット２０の詳細を図３に示す。図において、２０ａは表示キーであり、このキー２０ａの操作によって、映像信号に重畳されるインデックスが表示され、あるいは表示が停止される。２０ｂ、２０ｃ、２０ｄ、２０ｅはそれぞれ、青、赤、緑、黄に対応するキーであり、画面表示されるインデックスの色と対応している。青キー２０ｂを操作することで俳優Ａが選択され、同様に赤キー２０ｃでＢＧＭ（Ｂａｃｋ　Ｇｒｏｕｎｄ　Ｍｕｓｉｃ）として流れている音楽が選択され、緑キー２０ｄで俳優Ｂが選択され、黄キー２０ｅで店が選択される。また、２０ｆ、２０ｇ、２０ｈ、２０ｉはカーソルキーであり、２０ｊは決定キーである。水平方向のカーソルキー２０ｈと２０ｉを操作することで、カーソルをインデックスに移し、決定キー２０ｊの操作でカーソルのインデックスが選択される。
【００１９】
図４に、選択されたインデックスに対応して表示される情報の例を示す。
図４（ａ）は、青の「俳優Ａ」が選択された際に表示される情報の内容を示している。俳優の名前と、生年月日、主な出演作品、公式ホームページのＵＲＬ（Ｕｎｉｆｏｒｍ　Ｒｅｓｏｕｒｃｅ　Ｌｏｃａｔｏｒ）等が表示される。
図４（ｂ）は、赤の「音楽」が選択された際に表示される情報の内容を示しており、表示画面に流れる音楽のタイトルが表示され、その音楽が収録されているＣＤのタイトル、発売元、価格が表示される。
図４（ｃ）は、緑の「俳優Ｂ」が選択された際に表示される情報の内容を示している。青の「俳優Ａ」と同様に、俳優の名前と、生年月日、主な出演作品、公式ホームページのＵＲＬ等が表示される。
図４（ｄ）は、黄の「店」が選択された際に表示される情報の内容を示しており、店の住所、電話番号、行き方等が表示される。
各インデックスの選択により、図４に示すように、対応する情報が表示され、同時にその情報がメモリ２２に記憶される。このとき番組のタイトルも同時に記憶され、メモリ２２に記憶された情報を読み出すには、番組タイトルで一覧を表示させ、リモコンハンドユニット２０のカーソルキー２０ｆ〜２０ｉで選択して、決定キー２０ｊで選択することが可能である。
【００２０】
図５に一覧表示させた状態を示す。各シーンによって、インデックスに対応する情報が異なり、各インデックスに対応してそれぞれ、複数の情報がメモリに記憶されていることを表している。図中、斜線で示す部分はカーソルが存在する個所を示す。
【００２１】
図６のフローチャートで、図１に示すブロックの動作を説明する。
ステップ６ａで開始され、ステップ６ｂでデータ選択表示の可／否の設定を行なう。この設定は、装置の初期設定時に実行されるもので、視聴者が、データの表示を希望する場合には、可に設定し、希望しない場合には、否に設定する。
次にステップ６ｃでデータ放送が行なわれている放送番組を視聴し、ステップ６ｄで、ステップ５ｂでの設定がデータ選択表示可に設定されているか否かの判定を行い、可の場合には、ステップ６ｅでデータの選択表示を行なう。次いで、ステップ６ｆで視聴者が取得したいデータに対応したリモコンのキーを操作し、ステップ６ｇでデータを取得してステップ６ｈで終了となる。
【００２２】
図７は、図３で示す情報の取得のための操作を説明するためのフローチャートである。
ステップ７ａで開始され、ステップ７ｂで表示要求キーが操作されたか否かの判定がなされ、表示要求キーが操作されたことが判定された場合には、ステップ７ｃでインデックスの表示を行い、ステップ７ｄでインデックス選択キーが操作されたか否かの判定がなされ、インデックス選択キーが操作されたことが判定された場合、次に具体的にどのキーが選択されたかが判定される。
【００２３】
ステップ７ｅで青が選択されたら、ステップ７ｆで青に対応するデータの表示とメモリへの記憶処理が実行される。ステップ７ｇで赤が選択されたらステップ７ｈで赤に対応するデータの表示とメモリへの記憶処理が実行される。ステップ７ｉで緑が選択されたらステップ７ｊで緑に対応するデータの表示とメモリへの記憶処理が実行される。ステップ７ｋで黄が選択されたらステップ７ｌで黄に対応するデータの表示とメモリへの記憶処理が実行される。
【００２４】
図８は、インデックスの他の例を示している。図８の場合、データが存在する画像の近辺に、色分けされた丸が示されており、リモコンハンドユニット２０の色別キー２０ｂ〜２０ｅを操作することで、対応するデータが表示され、かつメモリに記憶される。
【００２５】
図９は、音楽を含むシーンの各構成要素に関連付けて、各要素の内容を示すデータを多重したテレビジョン信号を生成して送信するための装置の例を示す。
放送番組を構成する映像及び音声データが蓄えられた映像及び音声信号源９１からの信号がＭＰＥＧエンコーダ９２に供給される。同時にデータ信号源９３から、シーンに対応した付加データがＭＰＥＧエンコーダ９２に供給され、映像データ、音声データ及び付加データがＭＰＥＧエンコーダ９２でＭＰＥＧに符号化される。ＭＰＥＧ符号化された信号は、変調器９４で変調され、送信器９５でＲＦ信号に変換されて出力端９６から出力される。出力端９８６に出力された信号は図示しない送信アンテナを介して送信される。
【００２６】
以上のように、本発明によれば音楽を含むシーンを構成する複数の要素の内容を示すデータが多重されたテレビジョン信号から、要素を特定するインデックスを生成して、映像信号に多重して表示し、視聴者がインデックスを選択することでその要素のデータを画面表示し、かつメモリに記憶するように構成したので、視聴者は、画面を見ながら、詳細情報が取得可能な要素が存在するか否かをインデックスによってシーン毎に確認し、詳細情報を取得したい要素が存在したら、リモコンハンドユニットでインデックスを選択することでそのインデックスに対応した情報を表示させることができるようになるものである。
【００２７】
【発明の効果】
以上のように、本発明によれば、各シーン毎に、詳細情報がデータとして伝送される要素をインデックスで表示し、ユーザがデータを取得したいインデックスを選択することで、簡単にデータを取得して画面表示させることができるようになるものである。
【図面の簡単な説明】
【図１】本発明に係る、データ放送受信装置の一実施の形態を示すブロック図。
【図２】図１に示す装置の動作を説明するための図。
【図３】図１に示す装置に適用されるリモコンハンドユニットの構成を示す図。
【図４】図１に示す装置の動作を説明するための図。
【図５】図１に示す装置の動作を説明するための図。
【図６】図１に示す装置の動作を説明するためのフローチャート。
【図７】図１に示す装置の動作を説明するためのフローチャート。
【図８】本発明に係る、データ放送受信装置の他の実施の形態を示すブロック図。
【図９】本発明に係る、データ放送受信装置で受信するデータ放送を送出する装置を示すブロック図。
【符号の説明】
１１…アンテナ入力端子
１２…チューナ／復調部
１３…デマルチプレクサ
１４…映像処理部
１５…表示合成部
１６…表示部
１７…バス
１８…制御部
１９…リモコン信号処理部
２０…リモコンハンドユニット
２１…データ抽出部
２２…メモリ
【図１】
2004120474.tif 000003
【図２】
2004120474.tif 000004
【図３】
2004120474.tif 000005
【図４】
2004120474.tif 000006
【図５】
2004120474.tif 000007
【図６】
2004120474.tif 000008
【図７】
2004120474.tif 000009
【図８】
2004120474.tif 000010
【図９】
2004120474.tif 000011